(57)【要約】【課題】相手に煩わしさを感じさせることなく、相手との通話を可能とする。【解決手段】端末装置１０Ａは、ユーザＡによる第１のパターンのノックの音を表す情報を端末装置１０Ｂへ送信する。端末装置１０Ｂは、端末装置１０Ａから送られた情報に応じて第１のパターンのノックの音を出力する。端末装置１０Ａは、ユーザＢによる第２のパターンのノックの音を表す情報を端末装置１０Ａへ送信する。端末装置１０Ａは、端末装置１０Ｂから送られた第２のパターンのノックの音を表す情報を取得すると、通話モードへ移行し、通話モードへの移行を要求するメッセージを端末装置１０Ｂへ送信する。端末装置１０Ｂは、通話モードへの移行を要求するメッセージを取得して通話モードへ移行する。【選択図】図１
2018133662.tif 000002
【特許請求の範囲】
【請求項１】
少なくとも、変形、発光、発音のいずれかを行う第１動作部と、
第１センサと、
前記第１動作部を動作させる第１制御部と、
前記第１センサの検知結果に基づいて、ユーザの予め定められた第１操作を認識し、認識した前記第１操作を表す第１情報を第２の端末装置へ送信する第１送信部と、
前記第１情報への応答である第２情報を取得し、取得した前記第２情報が予め定められた第２操作を表す場合、前記第２の端末装置との通話状態へ移行する第１通話部と、
通話状態へ移行した場合、通話状態への移行を要求するメッセージを前記第２の端末装置へ送信するメッセージ送信部と
を有する第１の端末装置と、
少なくとも、変形、発光、発音のいずれかを行う第２動作部と、
第２センサと、
前記第１情報を取得し、取得した前記第１情報に基づいて前記第２動作部を動作させる第２制御部と、
前記第２制御部による前記第２動作部の動作後に行われた予め定められた第２操作を、前記第２センサの検知結果に基づいて認識し、前記応答であって認識した前記第２操作を表す前記第２情報を前記第１の端末装置へ送信する第２送信部と、
前記メッセージ送信部が送信したメッセージを取得し、前記第２の端末装置との通話状態へ移行する第２通話部と
を有する第２の端末装置
を備える通信システム。
【請求項２】
前記第１センサの検知結果が予め定められたパターンに対応している場合、前記第１操作を認識し、
前記第２センサの検知結果が予め定められたパターンに対応している場合、前記第２操作を認識する
請求項１に記載の通信システム。
【請求項３】
前記第２の端末装置が複数あり、
前記第１操作は、複数種類あり、
前記第１送信部は、認識した第１操作の種類毎に前記第１情報の送信先となる第２の端末装置が異なる
請求項１または請求項２に記載の通信システム。
【請求項４】
前記第１操作と前記第２操作は、筐体をたたく操作、筐体に接触する操作、筐体が設置された面を叩く動作および筐体を押圧する操作の少なくとも一つである
請求項１から請求項３のいずれか一項に記載の通信システム。
【請求項５】
前記第２の端末装置が複数あり、
前記第１送信部は、複数の前記第２の端末装置へ前記第１情報を送信する
請求項１から請求項４のいずれか一項に記載の通信システム。
【請求項６】
前記第２制御部は、前記第２センサが人を検知した場合、取得した前記第１情報に基づいて前記第２動作部を動作させる
請求項５に記載の通信システム。
【請求項７】
第１の端末装置が有する第１センサの検知結果に基づいて、ユーザの予め定められた第１操作を認識し、当該前記第１操作を表す第１情報を第２の端末装置へ送信する第１通信部と、
前記第１情報への応答である第２情報を取得し、取得した前記第２情報が予め定められた第２操作を表す場合、通話状態へ移行させるメッセージを前記第１の端末装置と前記第２の端末装置へ送信する第２通信部
を有する認証装置。
【請求項８】
センサと、
前記センサの検知結果に基づいて、ユーザの予め定められた操作を認識し、認識した前記操作を表す第１情報を他の端末装置へ送信する送信部と、
前記第１情報への応答である第２情報を取得し、取得した前記第２情報が予め定められた操作を表す場合、前記他の端末装置との通話状態へ移行する通話部
を有する端末装置。
【請求項９】
センサを有する端末装置のコンピュータを、
前記センサの検知結果に基づいて、ユーザの予め定められた操作を認識し、認識した前記操作を表す第１情報を他の端末装置へ送信する送信部と、
前記第１情報への応答である第２情報を取得し、取得した前記第２情報が予め定められた操作を表す場合、前記他の端末装置との通話状態へ移行する通話部
として機能させるためのプログラム。
【発明の詳細な説明】
【技術分野】
【０００１】
本発明は、通信システム、認証装置、端末装置およびプログラムに関する。
【背景技術】
【０００２】
特許文献１（特開２００２−３１４７０号公報）には、通信端末同士が通信を行い、ユーザの移動やユーザの通信端末への接触に応じて、通信相手の通信端末がＬＥＤの発光や、光ファイバの駆動を行う通信システムが開示されている。このシステムによれば、通信相手の状況を間接的に知ることができ、通信相手とのつながりを実感できる。
【先行技術文献】
【特許文献】
【０００３】
【特許文献１】特開２００２−３１４７０号公報
【発明の概要】
【発明が解決しようとする課題】
【０００４】
特許文献１のシステムでは、音や光による間接的なコミュニケーションをとることが可能であるが、通話を行う手段がなく、直接的なコミュニケーションをとることができない。電話の機能を持たせ、呼び出し音を発すれば相手との通話が可能となるが、鳴り続ける呼び出し音は、相手にとって煩わしい場合がある。
【０００５】
本発明は、相手に煩わしさを感じさせることなく、相手との通話を可能とすることを目的とする。
【課題を解決するための手段】
【０００６】
本発明は、少なくとも、変形、発光、発音のいずれかを行う第１動作部と、第１センサと、前記第１動作部を動作させる第１制御部と、前記第１センサの検知結果に基づいて、ユーザの予め定められた第１操作を認識し、認識した前記第１操作を表す第１情報を第２の端末装置へ送信する第１送信部と、前記第１情報への応答である第２情報を取得し、取得した前記第２情報が予め定められた第２操作を表す場合、前記第２の端末装置との通話状態へ移行する第１通話部と、通話状態へ移行した場合、通話状態への移行を要求するメッセージを前記第２の端末装置へ送信するメッセージ送信部とを有する第１の端末装置と、少なくとも、変形、発光、発音のいずれかを行う第２動作部と、第２センサと、前記第１情報を取得し、取得した前記第１情報に基づいて前記第２動作部を動作させる第２制御部と、前記第２制御部による前記第２動作部の動作後に行われた予め定められた第２操作を、前記第２センサの検知結果に基づいて認識し、前記応答であって認識した前記第２操作を表す前記第２情報を前記第１の端末装置へ送信する第２送信部と、前記メッセージ送信部が送信したメッセージを取得し、前記第２の端末装置との通話状態へ移行する第２通話部とを有する第２の端末装置を備える通信システムを提供する。
【０００７】
本発明においては、前記第１センサの検知結果が予め定められたパターンに対応している場合、前記第１操作を認識し、前記第２センサの検知結果が予め定められたパターンに対応している場合、前記第２操作を認識する構成としてもよい。
【０００８】
また、本発明においては、前記第２の端末装置が複数あり、前記第１操作は、複数種類あり、前記第１送信部は、認識した第１操作の種類毎に前記第１情報の送信先となる第２の端末装置が異なる構成としてもよい。
【０００９】
また、本発明においては、前記第１操作と前記第２操作は、筐体をたたく操作、筐体に接触する操作、筐体が設置された面を叩く動作および筐体を押圧する操作の少なくとも一つである構成としてもよい。
【００１０】
また、本発明においては、前記第２の端末装置が複数あり、前記第１送信部は、複数の前記第２の端末装置へ前記第１情報を送信する構成としてもよい。
【００１１】
また、本発明においては、前記第２制御部は、前記第２センサが人を検知した場合、取得した前記第１情報に基づいて前記第２動作部を動作させる構成としてもよい。
【００１２】
また、本発明は、第１の端末装置が有する第１センサの検知結果に基づいて、ユーザの予め定められた第１操作を認識し、当該前記第１操作を表す第１情報を第２の端末装置へ送信する第１通信部と、前記第１情報への応答である第２情報を取得し、取得した前記第２情報が予め定められた第２操作を表す場合、通話状態へ移行させるメッセージを前記第１の端末装置と前記第２の端末装置へ送信する第２通信部を有する認証装置を提供する。
【００１３】
また、本発明は、センサと、前記センサの検知結果に基づいて、ユーザの予め定められた操作を認識し、認識した前記操作を表す第１情報を他の端末装置へ送信する送信部と、前記第１情報への応答である第２情報を取得し、取得した前記第２情報が予め定められた操作を表す場合、前記他の端末装置との通話状態へ移行する通話部を有する端末装置を提供する。
【００１４】
また、本発明は、センサを有する端末装置のコンピュータを、前記センサの検知結果に基づいて、ユーザの予め定められた操作を認識し、認識した前記操作を表す第１情報を他の端末装置へ送信する送信部と、前記第１情報への応答である第２情報を取得し、取得した前記第２情報が予め定められた操作を表す場合、前記他の端末装置との通話状態へ移行する通話部として機能させるためのプログラムを提供する。
【発明の効果】
【００１５】
本発明によれば、相手に煩わしさを感じさせることなく、相手との通話が可能となる。
【図面の簡単な説明】
【００１６】
【図１】本発明の一実施形態に係る通信システム１に含まれる装置を示した図。
【図２】端末装置１０のハードウェア構成を示した図。
【図３】端末装置１０の機能ブロック図。
【図４】実施形態の動作の一例を説明するためのシーケンス図。
【図５】実施形態の動作の一例を説明するためのシーケンス図。
【図６】実施形態の動作の一例を説明するためのシーケンス図。
【発明を実施するための形態】
【００１７】
［全体構成］
図１は、本発明の一実施形態に係る通信システム１に含まれる装置を示した図である。通信網２は、インターネットや固定電話網、音声通信やデータ通信などの通信サービスを提供する移動体通信網などを含む。通信網２には、端末装置１０Ａ、１０Ｂが有線または無線によって接続される。
【００１８】
端末装置１０Ａ、１０Ｂは、中空な５角柱の形状をした通信端末である。端末装置１０Ａと端末装置１０Ｂは、離れた場所にいるユーザ同士がコミュニケーションをとるときに使用される。例えば、端末装置１０Ａは、単身赴任の夫（ユーザＡ）が住む家に配置され、端末装置１０Ｂは、妻（ユーザＢ）と子供（ユーザＣ）が住む家に配置される。
【００１９】
端末装置１０Ａと端末装置１０Ｂは、同じ構成であるため、以下、各々を区別する必要がない場合は、端末装置１０と称する。通信網２に接続される端末装置１０の数は、図１に示した数に限定されるものではなく、図１に示した数以上の装置を接続することもできる。端末装置１０の筐体は、例えば白色のシリコンなどの変形可能な素材となっている。端末装置１０は、筐体を変形させるアクチュエータを筐体内部に備えており、アクチュエータの変形に応じて変形する。なお、端末装置１０は、図示した形状に限定されるものではなく、他の形状であってもよい。端末装置１０Ａと端末装置１０Ｂは、通信網２を介して通信を行い、音声通信やデータ通信を行う。
【００２０】
（端末装置１０の構成）
図２は、端末装置１０のハードウェア構成の一例を示した図である。なお、端末装置１０Ａ、１０Ｂのハードウェア構成は同じであるが、以下、端末装置１０Ａ、１０Ｂの各部を区別する必要がある場合、説明の便宜上、端末装置１０Ａ、１０Ｂの符号の末尾のアルファベットを各部の符号の末尾に付加して説明を行い、各部を区別する必要がない場合、符号の末尾へのアルファベットの付加を省略して説明を行う。例えば、端末装置１０Ａの各部を端末装置１０Ｂの各部と区別する場合、端末装置１０Ａの各部の符号の末尾には「Ａ」を付ける。
【００２１】
通信部１０５は、無線または有線で通信網２に接続され、通信網２を介して通信を行う通信インターフェースとして機能する。通信部１０５は、通信網２を介して音声通信やデータ通信を行う。また、通信部１０５は、Bluetooth（登録商標）や無線ＬＡＮの通信など無線通信を行う通信インターフェースとしても機能する。
【００２２】
発光部１０３は、白色、赤色、青色および緑色のＬＥＤ（Light Emitting Diode）を有しており、制御部１０１からの信号に応じて点灯する。発光部１０３は、筐体内部に設けられている。アクチュエータ１０４は、通電により変形する形状記憶合金を有する。アクチュエータ１０４は、端末装置１０の中空な５角柱の外面と内面の間に設けられており、制御部１０１からの通電に応じて変形する。アクチュエータ１０４が変形することにより、端末装置１０の筐体が変形する。発光部１０３、アクチュエータ１０４は、本発明に係る第１動作部（第２動作部）の一例である。
【００２３】
音声処理部１０７は、マイクロフォンとスピーカを有している。音声処理部１０７は、端末装置１０が音声通話を行う場合、通話相手の音声に係る情報が通信部１０５から供給されると、供給された情報をアナログ信号に変換する。このアナログ信号は、スピーカへ供給され、スピーカからは、通話相手の音声が出力される。また、音声処理部１０７は、マイクロフォンに入力された音声を表す情報を制御部１０１へ供給する。また、音声処理部１０７は、端末装置１０で音声通話を行う場合、ユーザの音声を表す情報を通信部１０５へ供給する。この情報は、通信部１０５から通信網２へ送信され、通話相手の端末装置１０へ送信される。音声処理部１０７も、本発明に係る動作部の一例である。また、マイクロフォンは、音を検知するセンサの一例でもある。
【００２４】
センサ部１０８は、各種センサを備える。センサ部１０８は、本発明に係る第１センサ（第２センサ）の一例である。本実施形態においては、センサ部１０８は、振動センサおよび人感センサを有する。振動センサは、端末装置１０の振動を検知し、検知した振動を表す信号を制御部１０１へ出力する。人感センサは、人間の所在を検知する。人感センサは、人間を検知すると、人間を検知したことを表す信号を制御部１０１へ出力する。
【００２５】
記憶部１０２は、不揮発性メモリを有しており、制御部１０１が実行するプログラムを記憶している。また、記憶部１０２は、予め定められた通話相手と通話を行うための認証情報を記憶する。例えば、記憶部１０２Ａは、第１の認証情報と第２の認証情報を記憶する。本実施形態においては、認証情報はノックの音を表す音情報である。第１の認証情報においては、ユーザＡがユーザＢとの通話を開始するために行う第１のパターンのノックの音の音情報と、ユーザＢがユーザＡとの通話を開始するために行う第２のパターンのノックの音の音情報が含まれる。また、第２の認証情報においては、ユーザＡがユーザＣとの通話を開始するために行う第３のパターンのノックの音の音情報と、ユーザＣがユーザＡとの通話を開始するために行う第４のパターンのノックの音の音情報が含まれる。
【００２６】
記憶部１０２Ｂは、第３の認証情報と第４の認証情報を記憶する。第３の認証情報においては、ユーザＢがユーザＡとの通話を開始するために行う第２のパターンのノックの音の音情報と、ユーザＡがユーザＢとの通話を開始するために行う第１のパターンのノックの音の音情報が含まれる。また、第４の認証情報においては、ユーザＣがユーザＡとの通話を開始するために行う第４のパターンのノックの音の音情報と、ユーザＡがユーザＣとの通話を開始するために行う第３のパターンのノックの音の音情報が含まれる。
【００２７】
制御部１０１は、ＣＰＵ（Central Processing Unit）、ＲＡＭ（Random Access Memory）およびメモリを有している。端末装置１０において実現する機能は、ＣＰＵ、ＲＡＭなどのハードウェア上に、記憶部１０２に記憶されているプログラム（ソフトウェア）を読み込ませることで、ＣＰＵが演算を行い、通信部１０５による通信や、ＲＡＭおよび記憶部１０２におけるデータの読み出しおよび／または書き込みを制御することで実現される。
【００２８】
図３は、制御部１０１が記憶部１０２に記憶されているプログラムを実行することにより実現する機能のうち、本発明に係る機能の構成を示した機能ブロック図である。
第１送信部１００１は、センサ部１０８が出力した情報に基づいて、ユーザの予め定められた操作を検知し、検知した操作を表す情報を他の端末装置１０へ送信する。第１送信部１００１は、本発明に係る第１送信部の一例である。通話部１００２は、第１送信部１００１が送信した情報への応答である情報を取得し、取得した情報が予め定められた操作を表す場合、通話モードへ移行して通話状態へ移行する。また、通話部１００２は、他の端末装置１０から送られた通話状態への移行を要求するメッセージを取得すると、他の端末装置１０との通話状態へ移行する。通話部１００２は、本発明に係る通話部の一例である。メッセージ送信部１００５は、通話状態へ移行した場合、通話状態への移行を要求するメッセージを他の端末装置１０へ送信する。メッセージ送信部１００５は、本発明に係るメッセージ送信部１００５の一例である。動作制御部１００３は、他の端末装置１０から送られた情報を取得し、取得した情報に基づいて発光部１０３やアクチュエータ１０４、音声処理部１０７を動作させる。動作制御部１００３は、本発明に係る第１制御部、第２制御部の一例である。第２送信部１００４は、他の端末装置１０から送られた情報に応じて動作制御部１００３が発光部１０３やアクチュエータ１０４、音声処理部１０７を動作させた後に行われた予め定められた操作を、センサ部１０８が出力した情報に基づいて検知し、他の端末装置１０から送られた情報に対する応答であって、検知した操作を表す情報を、他の端末装置１０へ送信する。第２送信部１００４は、本発明に係る第２送信部の一例である。
【００２９】
（動作例）
次に本実施形態の動作例について説明する。なお、以下の説明においては、端末装置１０Ａの通信先として端末装置１０Ｂが予め設定され、端末装置１０Ｂの通信先として端末装置１０Ｂが予め設定されている場合を想定して動作例の説明を行う。
【００３０】
ユーザＡが端末装置１０Ａに近づくと、センサ部１０８Ａの人感センサは人間を検知したことを表す信号を制御部１０１Ａへ出力する。制御部１０１Ａは、人感センサから出力された信号を取得すると、端末装置１０Ａの周囲にユーザがいることを表す情報を、通信部１０５Ａを制御して端末装置１０Ｂへ送信する（図４：ステップＳ１）。
【００３１】
通信部１０５Ｂは、ステップＳ１で端末装置１０Ａから送信された情報を取得する。制御部１０１Ｂは、端末装置１０Ａの周囲にユーザがいることを表す情報を取得すると、発光部１０３Ｂを制御する（ステップＳ２）。ここで制御部１０１Ｂは、例えば、発光部１０３Ｂの白色のＬＥＤを点灯させる。なお、ここでは、ＬＥＤの点灯だけでなくアクチュエータにより筐体を変形させてもよい。これにより、端末装置１０Ｂの筐体は白色で発光し、端末装置１０Ｂのユーザは、端末装置１０Ａの近くにユーザＡがいることがわかる。
【００３２】
次にユーザＡがユーザＢとの通話を開始する場合、ユーザＡは、端末装置１０Ａが設置されているテーブルを第１のパターンでノックする。定められたパターンのノックは、本発明に係る予め定められた操作の一例である。ユーザＡがノックを行うと、ノックにより生じた音を音声処理部１０７Ａのマイクロフォンが取得する（ステップＳ３）。音声処理部１０７Ａは、取得した音を表す情報を制御部１０１Ａへ出力する。
【００３３】
制御部１０１Ａは、記憶部１０２Ａに記憶されている認証情報のうち、音声処理部１０７Ａから供給された情報が表すノックの音のパターンに合致する音情報を含む認証情報を特定する（ステップＳ４）。ここで、音声処理部１０７Ａから供給された情報が表すノックの音のパターンは第１のパターンであるため、制御部１０１Ａは、第１のパターンの音情報を含む第１の認証情報を特定する。換言すると、制御部１０１Ａは、通話のためにユーザが行う予め定められたノックの操作を検知したこととなる。制御部１０１Ａは、認証情報を特定すると、音声処理部１０７Ａから供給されたノックの音を表す情報を端末装置１０Ｂへ送信する（ステップＳ５）。ここで送信される情報は、本発明に係る第１情報の一例である。
【００３４】
通信部１０５Ｂは、ステップＳ５で送信された情報を取得する。通信部１０５Ｂが取得した情報は、音声処理部１０７Ｂと制御部１０１Ｂへ供給される。音声処理部１０７Ｂは、供給された情報が表す第１のパターンのノックの音をスピーカから出力する（ステップＳ６）。
【００３５】
端末装置１０Ｂの近くにいるユーザＢは、ユーザＡとの通話を開始する場合、端末装置１０Ｂが設置されているテーブルを第２のパターンでノックする。ユーザＢがノックを行うと、音声処理部１０７Ｂのマイクロフォンがノックにより生じた音を取得する（ステップＳ７）。音声処理部１０７Ｂは、取得した音を表す情報を制御部１０１Ｂへ出力する。制御部１０１Ｂは、ノックの音を出力した後にノックの音を取得した場合、音声処理部１０７Ｂから供給されたノックの音の情報を端末装置１０Ａへ送信する（ステップＳ８）。換言すると、制御部１０１Ｂは、通話のためにユーザが行う予め定められたノックの操作を検知したこととなる。ここで送信される情報は、本発明に係る第２情報の一例である。
【００３６】
通信部１０５Ａは、ステップＳ８で送信された情報を取得する。通信部１０５Ａが取得した情報は、音声処理部１０７Ａと制御部１０１Ａへ供給される。音声処理部１０７Ａは、供給された情報が表すノックの音をスピーカから出力する（ステップＳ９）。
【００３７】
制御部１０１Ａは、通信部１０５Ａが取得したノックの音の情報を取得する。制御部１０１Ａは、取得した情報が表すノックの音のパターンと、ステップＳ４で特定した第１の認証情報に含まれているノックの音の音情報とが合致するか判定する（ステップＳ１０）。ここで、取得した情報が表すノックの音のパターンは、第２のパターンのノックの音であるため、制御部１０１Ａは、取得した情報が表すノックの音のパターンと、ステップＳ４で特定した第１の認証情報に含まれている第２のパターンのノックの音の音情報とが合致すると判定する。
【００３８】
制御部１０１Ａは、取得した情報が表すノックの音のパターンと、ステップＳ４で特定した第１の認証情報に含まれている第２のパターンのノックの音の音情報とが合致した場合、通話モードに移行する（ステップＳ１１）。また、制御部１０１Ａは、通話モードへの移行を要求するメッセージを端末装置１０Ｂへ送信する（ステップＳ１２）。制御部１０１Ａは、通話モードに移行すると、音声処理部１０７Ａのマイクロフォンが取得した音声を表す情報を通話モードが終了するまで端末装置１０Ｂへ送信する。また、制御部１０１Ａが通話モードに移行すると、端末装置１０Ｂから送信される音声を表す情報が音声処理部１０７Ａへ供給され、音声処理部１０７Ａは、供給される情報が表す音声をスピーカから出力する。
【００３９】
通信部１０５Ｂは、端末装置１０Ａから送信されたメッセージを取得する。制御部１０１Ｂは、通話モードへの移行を要求するメッセージを通信部１０５Ｂが取得すると、通話モードへ移行する（ステップＳ１３）。制御部１０１Ｂは、通話モードに移行すると、音声処理部１０７Ｂのマイクロフォンが取得した音声を表す情報を通話モードが終了するまで端末装置１０Ａへ送信する。また、制御部１０１Ｂが通話モードに移行すると、端末装置１０Ａから送信される音声を表す情報が音声処理部１０７Ｂへ供給され、音声処理部１０７Ｂは、供給される情報が表す音声をスピーカから出力する。
【００４０】
端末装置１０Ａ側でユーザＡが発した音声は、端末装置１０Ｂ側でスピーカから出力され、端末装置１０Ｂ側でユーザＢが発した音声は、端末装置１０Ａ側でスピーカから出力されるため、ユーザＡとユーザＢは通話を行うことができる。
【００４１】
次に、端末装置１０Ａ側でユーザＡが第１のパターンでノックを行ったのに対し、端末装置１０Ｂ側でユーザＣが第４のパターンでノックを行った場合の動作例について説明する。
【００４２】
ユーザＡが、端末装置１０Ａが設置されているテーブルを第１のパターンでノックすると、ノックにより生じた音を音声処理部１０７Ａのマイクロフォンが取得する（図５：ステップＳ２１）。音声処理部１０７Ａは、取得した音を表す情報を制御部１０１Ａへ出力する。
【００４３】
制御部１０１Ａは、記憶部１０２Ａに記憶されている認証情報のうち、音声処理部１０７Ａから供給された情報が表すノックの音のパターンに合致する音情報を含む認証情報を特定する（ステップＳ２２）。ここで、音声処理部１０７Ａから供給された情報が表すノックの音のパターンは第１のパターンであるため、制御部１０１Ａは、第１のパターンの音情報を含む第１の認証情報を特定する。制御部１０１Ａは、認証情報を特定すると、音声処理部１０７Ａから供給されたノックの音を表す情報を端末装置１０Ｂへ送信する（ステップＳ２３）。
【００４４】
通信部１０５Ｂは、ステップＳ２３で送信された情報を取得する。通信部１０５Ｂが取得した情報は、音声処理部１０７Ｂと制御部１０１Ｂへ供給される。音声処理部１０７Ｂは、供給された情報が表す第１のパターンのノックの音をスピーカから出力する（ステップＳ２４）。
【００４５】
ここで端末装置１０Ｂの近くにいるユーザＣが、端末装置１０Ｂが設置されているテーブルを第４のパターンでノックすると、音声処理部１０７Ｂのマイクロフォンがノックにより生じた音を取得する（ステップＳ２５）。音声処理部１０７Ｂは、取得した音を表す情報を制御部１０１Ｂへ出力する。制御部１０１Ｂは、ノックの音を出力した後にノックの音を取得した場合、音声処理部１０７Ｂから供給されたノックの音の情報を端末装置１０Ａへ送信する（ステップＳ２６）。
【００４６】
通信部１０５Ａは、ステップＳ２６で送信された情報を取得する。通信部１０５Ａが取得した情報は、音声処理部１０７Ａと制御部１０１Ａへ供給される。音声処理部１０７Ａは、供給された情報が表すノックの音をスピーカから出力する（ステップＳ２７）。
【００４７】
制御部１０１Ａは、通信部１０５Ａが取得したノックの音の情報を取得する。制御部１０１Ａは、取得した情報が表すノックの音のパターンと、ステップＳ２２で特定した第１の認証情報に含まれているノックの音の音情報とが合致するか判定する（ステップＳ２８）。ここで、取得した情報が表すノックの音のパターンは、第４のパターンのノックの音であり、第１の認証情報に含まれている音情報が表すパターンとは異なるため、制御部１０１Ａは、取得した情報が表すノックの音のパターンと、ステップＳ２２で特定した第１の認証情報に含まれている音情報が表すパターンとが合致しないと判定する。
【００４８】
制御部１０１Ａは、取得した情報が表すノックの音のパターンと、ステップＳ２２で特定した第１の認証情報に含まれている音情報が表すパターンとが合致しない場合、通話モードに移行しない（ステップＳ２９）。
【００４９】
このように、ユーザＢと通話を行うための第１のパターンのノックに対して、第１のパターンに対応した第２のパターンのノックが行われない場合、端末装置１０Ａと端末装置１０Ｂは通話モードに移行しない。即ち、ユーザＡが通話を始めようとしたユーザＢ以外の者とは通話が行われることがない。
【００５０】
次にユーザＡがユーザＣとの通話を開始する場合の動作例について説明する。ユーザＡが、端末装置１０Ａが設置されているテーブルを第３のパターンでノックすると、ノックにより生じた音を音声処理部１０７Ａのマイクロフォンが取得する（ステップＳ３１）。音声処理部１０７Ａは、取得した音を表す情報を制御部１０１Ａへ出力する。
【００５１】
制御部１０１Ａは、記憶部１０２Ａに記憶されている認証情報のうち、音声処理部１０７Ａから供給された情報が表すノックの音のパターンに合致する音情報を含む認証情報を特定する（ステップＳ３２）。ここで、音声処理部１０７Ａから供給された情報が表すノックの音のパターンは第３のパターンであるため、制御部１０１Ａは、第３のパターンの音情報を含む第２の認証情報を特定する。制御部１０１Ａは、認証情報を特定すると、音声処理部１０７Ａから供給されたノックの音を表す情報を端末装置１０Ｂへ送信する（ステップＳ３３）。
【００５２】
通信部１０５Ｂは、ステップＳ３３で送信された情報を取得する。通信部１０５Ｂが取得した情報は、音声処理部１０７Ｂと制御部１０１Ｂへ供給される。音声処理部１０７Ｂは、供給された情報が表す第３のパターンのノックの音をスピーカから出力する（ステップＳ３４）。
【００５３】
ここで端末装置１０Ｂの近くにいるユーザＣが、端末装置１０Ｂが設置されているテーブルを第４のパターンでノックすると、音声処理部１０７Ｂのマイクロフォンがノックにより生じた音を取得する（ステップＳ３５）。音声処理部１０７Ｂは、取得した音を表す情報を制御部１０１Ｂへ出力する。制御部１０１Ｂは、ノックの音を出力した後にノックの音を取得した場合、音声処理部１０７Ｂから供給されたノックの音の情報を端末装置１０Ａへ送信する（ステップＳ３６）。
【００５４】
通信部１０５Ａは、ステップＳ３６で送信された情報を取得する。通信部１０５Ａが取得した情報は、音声処理部１０７Ａと制御部１０１Ａへ供給される。音声処理部１０７Ａは、供給された情報が表すノックの音をスピーカから出力する（ステップＳ３７）。
【００５５】
制御部１０１Ａは、通信部１０５Ａが取得したノックの音の情報を取得する。制御部１０１Ａは、取得した情報が表すノックの音のパターンと、ステップＳ３２で特定した第２の認証情報に含まれているノックの音の音情報とが合致するか判定する（ステップＳ３８）。ここで、取得した情報が表すノックの音のパターンは、第４のパターンのノックの音であるため、制御部１０１Ａは、取得した情報が表すノックの音のパターンと、ステップＳ３２で特定した第２の認証情報に含まれている第４のパターンのノックの音の音情報とが合致すると判定する。
【００５６】
制御部１０１Ａは、取得した情報が表すノックの音のパターンと、ステップＳ３２で特定した第２の認証情報に含まれている第４のパターンのノックの音の音情報とが合致した場合、通話モードに移行する（ステップＳ３９）。また、制御部１０１Ａは、通話モードへの移行を要求するメッセージを端末装置１０Ｂへ送信する（ステップＳ４０）。制御部１０１Ａは、通話モードに移行すると、音声処理部１０７Ａのマイクロフォンが取得した音声を表す情報を通話モードが終了するまで端末装置１０Ｂへ送信する。また、制御部１０１Ａが通話モードに移行すると、端末装置１０Ｂから送信される音声を表す情報が音声処理部１０７Ａへ供給され、音声処理部１０７Ａは、供給される情報が表す音声をスピーカから出力する。
【００５７】
通信部１０５Ｂは、端末装置１０Ａから送信されたメッセージを取得する。制御部１０１Ｂは、通話モードへの移行を要求するメッセージを通信部１０５Ｂが取得すると、通話モードへ移行する（ステップＳ４１）。制御部１０１Ｂは、通話モードに移行すると、音声処理部１０７Ｂのマイクロフォンが取得した音声を表す情報を通話モードが終了するまで端末装置１０Ａへ送信する。また、制御部１０１Ｂが通話モードに移行すると、端末装置１０Ａから送信される音声を表す情報が音声処理部１０７Ｂへ供給され、音声処理部１０７Ｂは、供給される情報が表す音声をスピーカから出力する。
【００５８】
端末装置１０Ａと端末装置１０Ｂが通話モードになると、端末装置１０Ａ側でユーザＡが発した音声は、端末装置１０Ｂ側でスピーカから出力され、端末装置１０Ｂ側でユーザＣが発した音声は、端末装置１０Ａ側でスピーカから出力されるため、ユーザＡとユーザＣは通話を行うことができる。
【００５９】
以上説明したように、本実施形態によれば、呼び出し音を発することなく、特定の相手と通話を始めることができるため、相手に煩わしさを感じさせることなく、相手との通話を行うことができる。
【００６０】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００６１】
上述した実施形態においては、マイクロフォンが取得した音によりノックのパターンの特定や比較を行っているが、センサ部１０８の振動センサにより、ノックのパターンの特定や比較を行ってもよい。この構成の場合、認証情報に含まれる情報は、音情報に替えてノックの振動のパターンを表す情報となる。また、この構成の場合、端末装置１０が送信する情報や端末装置１０が取得する情報は、音情報に替えてノックの振動のパターンを表す情報となる。
【００６２】
上述した実施形態においては、ユーザＡが第３のパターンでノックを行い、ユーザＣが第４のパターンでノックを行うと、端末装置１０Ａと端末装置１０Ｂが通話モードとなるが、ユーザＡが第３のパターンでノックを行い、ユーザＣが第２のパターンでノックを行った場合にも、端末装置１０Ａと端末装置１０Ｂが通話モードへ移行するようにしてもよい。
【００６３】
上述した実施形態においては、制御部１０１Ａは、取得した情報が表すノックの音のパターンと、特定した認証情報に含まれているノックの音の音情報とが合致した場合、通話モードに移行しているが、通話モードに移行する構成は、実施形態の構成に限定されるものではない。例えば、センサ部１０８に筐体の変形量を検知する歪センサを設ける。本変形例においては、制御部１０１Ａは，ステップＳ８で取得した情報が表すノックの音のパターンと、ステップＳ４で特定した認証情報に含まれているノックの音の音情報とが合致した後、ユーザが触れたことによる筐体の変形を歪センサの出力により検知した場合、通話モードへ移行し、通話モードへの移行を要求するメッセージを送信するようにしてもよい。また、例えば、センサ部１０８にタッチセンサを設けてもよい。この構成の場合、制御部１０１Ａは，ステップＳ８で取得した情報が表すノックの音のパターンと、ステップＳ４で特定した認証情報に含まれているノックの音の音情報とが合致した後、ユーザが触れたことをタッチセンサの出力により検知した場合、通話モードへ移行し、通話モードへの移行を要求するメッセージを送信するようにしてもよい。
また、本発明においては、押圧センサおよび接触センサにより、ユーザが筐体に触れたことを検知してもよい。この構成の場合、制御部１０１Ａは，ステップＳ８で取得した情報が表すノックの音のパターンと、ステップＳ４で特定した認証情報に含まれているノックの音の音情報とが合致した後、ユーザが筐体に触れたことを接触センサにより検知し、且つ、ユーザが筐体に触れたことを押圧センサで検知した場合、通話モードへ移行し、通話モードへの移行を要求するメッセージを送信するようにしてもよい。
【００６４】
上述した実施形態においては、ノックの音のパターンに基づいて通話モードに移行しているが、端末装置１０を変形させることにより通話モードに移行してもよい。本変形例の場合、センサ部１０８に歪センサを設け、ユーザが触れたことによる変形量を歪センサで検知する。この構成の場合、認証情報に含まれる情報は、音情報に替えて変形量のパターンを表す情報となる。また、この構成の場合、端末装置１０が送信する情報や端末装置１０が取得する情報は、音情報に替えて変形量のパターンを表す情報となる。端末装置１０Ａ側において、予め定められたパターンで筐体が変形させられると、端末装置１０Ａは、変形量のパターンを表す情報を端末装置１０Ｂへ送信する。端末装置１０Ｂは、送信された情報に基づいてスピーカから音を出力させる。端末装置１０Ｂは、予め定められたパターンで筐体が変形させられると、変形量のパターンを表す情報を端末装置１０Ａへ送信する。端末装置１０Ａは、送信された情報が表すパターンが認証情報に含まれている変形量のパターンに合致すると、通話モードに移行し、通話モードへの移行を要求するメッセージを端末装置１０Ｂへ送信する。
本変形例においても、呼び出し音を発することなく、特定の相手と通話を始めることができる。
【００６５】
また、本発明においては、通話モードへ移行するための操作は、ノックの音のパターンまたは筐体の変形以外の操作であってもよい。例えば、通話モードへ移行するための操作は、筐体を所定のパターンで押す、筐体に所定のパターンで触れる、筐体を所定のパターンで叩く、筐体を所定のパターンで変形させる、筐体に所定時間触れる、筐体に所定パターンで光をあてる、筐体に所定の色の光をあてる、所定のジェスチャーを行う、筐体に熱を加える、筐体の特定の位置に触れるなどのいずれかの操作であってもよく、また、これらの操作の組み合わせであってもよい。また、上記の操作を検知するために、端末装置１０は、押圧センサ、接触センサ、光センサ、照度センサ、人感センサ、振動センサ、音センサ、歪センサ、測距センサ、色センサ、撮像素子のいずれかまたは複数を備える構成であってもよい。
【００６６】
本発明においては、ユーザＡの住居に複数の端末装置１０を設置してもよく、ユーザＢとユーザＣが住む住居に複数の端末装置１０を設置してもよい。例えば、ユーザＡの住居のリビングに端末装置１０Ａを設置し、ユーザＡの住居の寝室に端末装置１０Ｃを設置する。端末装置１０Ａの周囲で第１のパターンでノックが行われ、端末装置１０Ｂの周囲で第２のパターンのノックが行われた場合、端末装置１０Ａと端末装置１０Ｂが通話モードに移行し、ユーザＡは、リビングで通話を行う。また、端末装置１０Ｃの周囲で第１のパターンでノックが行われ、端末装置１０Ｂの周囲で第２のパターンのノックが行われた場合、端末装置１０Ｃと端末装置１０Ｂが通話モードに移行し、ユーザＡは、寝室で通話を行う。本変形例によれば、ユーザが移動しても、移動した部屋で通話を行うことができる。
【００６７】
また、一つの住居に複数の端末装置１０を設置する構成においては、一方の住居側の端末装置１０は、他方の住居に設置された複数の端末装置１０の各々へ情報を送信してもよい。例えば、ユーザＡの住居のリビングに端末装置１０Ａを設置し、ユーザＡの住居の寝室に端末装置１０Ｃを設置する。端末装置１０Ｂの周囲で第２のパターンでノックが行われると、端末装置１０Ｂは、第２のパターンのノックの音を表す情報を端末装置１０Ａと端末装置１０Ｃへ送信する。端末装置１０Ａと端末装置１０Ｃは、端末装置１０Ｂから送られた情報が表すノックの音をスピーカから出力する。ユーザＡが、例えば自分に近い端末装置１０Ｃの近くで第１のパターンでノックを行うと、端末装置１０Ｃは、第１のパターンのノックの音を表す情報を端末装置１０Ｂへ送信する。端末装置１０Ｂは、端末装置１０Ｂから送られた情報が表すノックの音をスピーカから出力し、通話モードへ移行する。また、端末装置１０Ｂは、通話モードへの移行を要求するメッセージを端末装置１０Ｃへ送信し、このメッセージを取得した端末装置１０Ｃは、通話モードへ移行する。本変形例によれば、ユーザは自分に近い端末装置１０で通話を行うことができる。
【００６８】
また、一つの住居に複数の端末装置１０を設置する構成においては、人感センサで人間を検知している端末装置１０が他の端末装置１０から送られた情報に応じてノックの音を出力するようにしてもよい。例えば、端末装置１０Ｂの周囲で第２のパターンでノックが行われると、端末装置１０Ｂは、第２のパターンのノックの音を表す情報を端末装置１０Ａと端末装置１０Ｃへ送信する。端末装置１０Ａにおいて人感センサがユーザＡを検知しており、端末装置１０Ｃにおいて人感センサがユーザＡを検知していない場合、端末装置１０Ａは、ノックの音を出力し、端末装置１０Ｃは、ノックの音を出力しない。
本変形例によれば、ユーザは自分に近い端末装置１０においてノックで応答し、通話を始めることができる。
【００６９】
また、一つの住居に複数の端末装置１０を設置する構成においては、行われたノックのパターンに応じて、ノックの音を表す情報の送信先が異なるようにしてもよい。例えば、端末装置１０Ｂの周囲において、第２のパターンでノックが行われた場合、端末装置１０Ｂは、ノックの音を表す情報を端末装置１０Ａへ送信し、第５のパターンでノックが行われた場合、端末装置１０Ｂは、ノックの音を表す情報を端末装置１０Ｃへ送信してもよい。
【００７０】
本発明においては、端末装置１０は、ユーザの睡眠を検知し、ユーザの睡眠を検知した場合、消費電力を抑えるスリープモードへ移行するようにしてもよい。例えば、端末装置１０は、予め定められた期間、マイクロフォンが音を検知しなかった場合、ユーザが睡眠に入ったと判断し、スリープモードへ移行してもよい。端末装置１０は、スリープモードへ移行した場合、例えば、通信部１０５への電力供給を遮断して消費電力を抑える。端末装置１０は、スリープモードの状態でマイクロフォンが音を検知した場合、スリープモードを解除して通信部１０５への電力供給を再開する。本変形例によれば、端末装置１０の消費電力を抑えることができる。
【００７１】
上述した実施形態においては、ノックのパターンの特定や比較を端末装置１０が行っているが、他の装置が行ってもよい。例えば、通信網２に接続され、端末装置１０Ａおよび端末装置１０Ｂと通信を行う認証装置を設ける。認証装置は、上述した第１の認証情報、第２の認証情報、第３の認証情報および第４の認証情報を記憶する。
【００７２】
例えば、端末装置１０Ａは、第１のパターンのノックの音を表す情報が音声処理部１０７Ａから供給されると、供給された情報を認証装置へ送信する。認証装置は、記憶している認証情報のうち、端末装置１０Ａから送られた情報が表すノックの音のパターンに合致する音情報を含む認証情報を特定する。ここで、送られた情報が表すノックの音のパターンは第１のパターンであるため、認証装置は、第１のパターンの音情報を含む第１の認証情報を特定する。認証装置は、認証情報を特定すると、端末装置１０Ａから送信されたノックの音を表す情報を端末装置１０Ｂへ送信する。端末装置１０Ｂは、認証装置から送信された情報を取得し、取得した情報が表す第１のパターンのノックの音をスピーカから出力する。
【００７３】
端末装置１０Ｂの近くにいるユーザＢは、ユーザＡとの通話を開始する場合、端末装置１０Ｂが設置されているテーブルを第２のパターンでノックする。ユーザＢがノックを行うと、ノックにより生じた音を音声処理部１０７Ｂのマイクロフォンが取得する。端末装置１０Ｂは、ノックの音を出力した後にノックの音を取得した場合、音声処理部１０７Ｂにより取得されたノックの音の情報を認証装置へ送信する。
【００７４】
認証装置は、端末装置１０Ｂから送信された情報を取得する。認証装置は、取得した情報が表すノックの音のパターンと、端末装置１０Ａから送られた第１のパターンの音の情報を取得したときに特定した第１の認証情報に含まれているノックの音の情報とが合致するか判定する。ここで、取得した情報が表すノックの音のパターンは、第２のパターンのノックの音であるため、認証装置は、取得した情報が表すノックの音のパターンと、第１の認証情報に含まれている第２のパターンのノックの音の音情報とが合致すると判定する。
【００７５】
認証装置は、端末装置１０Ｂから送られた情報が表すノックの音のパターンと、第１の認証情報に含まれている第２のパターンのノックの音の音情報とが合致した場合、通話モードへの移行を要求するメッセージを端末装置１０Ａと端末装置１０Ｂへ送信する。端末装置１０Ａと端末装置１０Ｂは、通話モードへの移行を要求するメッセージを取得すると、通話モードへ移行し、例えば赤色で発光するように発光部１０３を制御する。本変形例によれば、端末装置１０においてノックのパターンの特定や比較を行うことがなく、制御部１０１が行う処理を減らして制御部１０１にかかる負荷を減らすことができる。
【００７６】
上述した機能ブロック（構成部）は、ハードウェアおよび／またはソフトウェアの任意の組み合わせによって実現される。また、各機能ブロックの実現手段は特に限定されない。すなわち、各機能ブロックは、物理的および／または論理的に結合した１つの装置により実現されてもよいし、物理的および／または論理的に分離した２つ以上の装置を直接的および／または間接的に（例えば、有線および／または無線）で接続し、これら複数の装置により実現されてもよい。例えば、本発明の一実施形態における端末装置１０は、本発明の処理を行うコンピュータとして機能してもよい。なお、本明細書においては、「装置」という文言は、回路、デバイス、ユニットなどに読み替えることができる。端末装置１０のハードウェア構成は、各装置を１つまたは複数含むように構成されてもよいし、一部の装置を含まずに構成されてもよい。
【００７７】
また、制御部１０１は、プログラム（プログラムコード）、ソフトウェアモジュールやデータを、記憶部１０２および／または通信部１０５からＲＡＭに読み出し、これらに従って各種の処理を実行する。プログラムとしては、上述の実施の形態で説明した動作の少なくとも一部をコンピュータに実行させるプログラムが用いられる。例えば、制御部１０１は、ＲＡＭに格納され、ＣＰＵで動作する制御プログラムによって実現されてもよく、他の機能ブロックについても同様に実現されてもよい。上述の各種処理は、１つのＣＰＵで実行される旨を説明してきたが、２以上のプロセッサＣＰＵにより同時または逐次に実行されてもよい。制御部１０１は、１以上のチップで実装されてもよい。なお、プログラムは、電気通信回線を介してネットワークから送信されても良い。
【００７８】
ＲＡＭは、レジスタ、キャッシュ、メインメモリ（主記憶装置）などと呼ばれてもよい。ＲＡＭは、本発明の一実施形態に係る機能を実施するために実行可能なプログラム（プログラムコード）、ソフトウェアモジュールなどを保存することができる。
【００７９】
また、端末装置１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部または全てが実現されてもよい。例えば、制御部１０１は、これらのハードウェアの少なくとも１つで実装されてもよい。
【００８０】
記憶部１０２は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。記憶部１０２は、補助記憶装置と呼ばれてもよい。
【００８１】
制御部１０１が備えるメモリは、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。
【００８２】
通信部１０５は、有線および／または無線ネットワークを介してコンピュータ間の通信を行うためのハードウェア（送受信デバイス）であり、例えばネットワークデバイス、ネットワークコントローラ、ネットワークカード、通信モジュールなどともいう。
【００８３】
端末装置１０の各部は、情報を通信するためのバスで接続されていてもよい。バスは、単一のバスで構成されてもよいし、装置間で異なるバスで構成されてもよい。
【００８４】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステムおよび／またはこれらに基づいて拡張された次世代システムに適用されてもよい。
【００８５】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００８６】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００８７】
判定は、１ビットで表される値（０か１か）によって行われてもよいし、真偽値（Boolean：trueまたはfalse）によって行われてもよいし、数値の比較（例えば、所定の値との比較）によって行われてもよい。
【００８８】
プログラムは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８９】
また、プログラム、命令などは、伝送媒体を介して送受信されてもよい。例えば、ソフトウェアが、同軸ケーブル、光ファイバケーブル、ツイストペアおよびデジタル加入者回線（ＤＳＬ）などの有線技術および／または赤外線、無線およびマイクロ波などの無線技術を使用してウェブサイト、サーバ、または他のリモートソースから送信される場合、これらの有線技術および／または無線技術は、伝送媒体の定義内に含まれる。
【００９０】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。なお、本明細書で説明した用語および／または本明細書の理解に必要な用語については、同一のまたは類似する意味を有する用語と置き換えてもよい。例えば、信号はメッセージであってもよい。
【００９１】
本明細書で使用する「システム」および「ネットワーク」という用語は、互換的に使用される。
【００９２】
また、本明細書で説明した信号、情報、パラメータなどは、絶対値で表されてもよいし、所定の値からの相対値で表されてもよいし、対応する別の情報で表されてもよい。例えば、無線リソースはインデックスで指示されるものであってもよい。上述したパラメータに使用する名称はいかなる点においても限定的なものではない。
【００９３】
端末装置１０は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００９４】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベースまたは別のデータ構造での探索）、確認（ascertaining）したことを「判断」「決定」したとみなすことなどを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）したことを「判断」「決定」したとみなすことなどを含み得る。また、「判断」、「決定」は、解決（resolving）、選択（selecting）、選定（choosing）、確立（establishing）、比較（comparing）などしたことを「判断」「決定」したとみなすことを含み得る。つまり、「判断」「決定」は、何らかの動作を「判断」「決定」したとみなすことを含み得る。
【００９５】
「接続された（connected）」、「結合された（coupled）」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的なものであっても、論理的なものであっても、あるいはこれらの組み合わせであってもよい。本明細書で使用する場合、２つの要素は、１またはそれ以上の電線、ケーブルおよび／またはプリント電気接続を使用することにより、並びにいくつかの非限定的かつ非包括的な例として、無線周波数領域、マイクロ波領域および光（可視および不可視の両方）領域の波長を有する電磁エネルギーなどの電磁エネルギーを使用することにより、互いに「接続」または「結合」されると考えることができる。
【００９６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９７】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００９８】
「含む（ｉｎｃｌｕｄｉｎｇ）」、「含んでいる（ｃｏｍｐｒｉｓｉｎｇ）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【００９９】
本開示の全体において、例えば、英語でのa, an, およびtheのように、翻訳により冠詞が追加された場合、これらの冠詞は、文脈から明らかにそうではないことが示されていなければ、複数のものを含むものとする。
【０１００】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１０１】
以上、本発明について詳細に説明したが、当業者にとっては、本発明が本明細書中に説明した実施形態に限定されるものではないということは明らかである。本発明は、特許請求の範囲の記載により定まる本発明の趣旨および範囲を逸脱することなく修正および変更態様として実施することができる。したがって、本明細書の記載は、例示説明を目的とするものであり、本発明に対して何ら制限的な意味を有するものではない。
【符号の説明】
【０１０２】
１…通信システム、２…通信網、１０、１０Ａ、１０Ｂ…端末装置、１０１…制御部、１０２…記憶部、１０３…発光部、１０４…アクチュエータ、１０５…通信部、１０７…音声処理部、１０８…センサ部、１００１…第１送信部、１００２…通話部、１００３…動作制御部、１００４…第２送信部、１００５…メッセージ送信部。
【図１】
2018133662.tif 000003
【図２】
2018133662.tif 000004
【図３】
2018133662.tif 000005
【図４】
2018133662.tif 000006
【図５】
2018133662.tif 000007
【図６】
2018133662.tif 000008